(57)【要約】【目的】ストラップにダブルリールを備えることにより、複数の携帯物品を保持すること、または複数の機能を備えることを可能にする。【構成】ストラップ本体２と、該ストラップ本体に固定された固定軸３と、該固定軸の外周に回動自在に装着された第１のリール８および第２のリール９と、前記第１のリールに巻回された第１の保持部材４と、前記第２のリールに巻回された第２の保持部材５と、前記固定軸と第１のリールおよび第２のリールとの間に配設された渦巻き状のバネ１０、１１とを備える構成。【選択図】図１
2006043242.tif 000002
【特許請求の範囲】
【請求項１】
ストラップ本体と、該ストラップ本体に固定された固定軸と、該固定軸の外周に回動自在に装着された第１のリールおよび第２のリールと、前記第１のリールに巻回された第１の保持部材と、前記第２のリールに巻回された第２の保持部材と、前記固定軸と第１のリールおよび第２のリールとの間に配設された渦巻き状のバネとを備えることを特徴とするダブルリール付ストラップ。
【請求項２】
前記第２の保持部材の先端には係合片が固定され、この係合片がストラップ本体の側部に形成された係止片に係合可能にされていることを特徴とする請求項１記載のダブルリール付きストラップ。
【発明の詳細な説明】
【技術分野】
【０００１】
本発明は、携帯電話機、キーホルダー、定期券入れ、身分証明書入れなどの携帯物品を伸縮自在に保持するためのダブルリール付ストラップに関する。
【背景技術】
【０００２】
従来、携帯電話機等の携帯物品を巻き紐に連結し、この巻き紐を伸縮自在にリール付ストラップに装着したものが知られている。この種のストラップにおいては、ストラップを衣服のポケットやカバン等に係止し、携帯電話を使用するときは巻き紐を伸ばして任意の長さで使用することができ、携帯するときは巻き紐を収縮させて巻き紐が邪魔になることがないという効果を有している。
【特許文献１】特開２００３−５２４４２
【特許文献２】特開２０００−２３６９３１
【特許文献３】実用新案登録第３０４９２０２号
【特許文献４】実用新案登録第３０５４６８２号
【特許文献５】実用新案登録第３０６８８４０号
【発明の開示】
【発明が解決しようとする課題】
【０００３】
しかしながら、上記特許文献１〜５においては、いずれも１つのリールしかないため、１つの携帯物品しか装着できず、また、その機能も携帯物品を保持するという１つの機能しかなかった。
【０００４】
本発明は、上記従来の問題を解決するものであって、ストラップにダブルリールを備えることにより、複数の携帯物品を保持することができ、または複数の機能を備えることができるダブルリール付ストラップを提供することを目的とする。
【課題を解決するための手段】
【０００５】
そのために本発明のダブルリール付ストラップは、ストラップ本体と、該ストラップ本体に固定された固定軸と、該固定軸の外周に回動自在に装着された第１のリールおよび第２のリールと、前記第１のリールに巻回された第１の保持部材と、前記第２のリールに巻回された第２の保持部材と、前記固定軸と第１のリールおよび第２のリールとの間に配設された渦巻き状のバネとを備えることを特徴とする。
また、前記第２の保持部材の先端には係合片が固定され、この係合片がストラップ本体の側部に形成された係止片に係合可能にされていることを特徴とする。
【発明の効果】
【０００６】
本発明によれば、ストラップにダブルリールを備えることにより、複数の携帯物品を保持することができ、または複数の機能を備えることができる。
【発明を実施するための最良の形態】
【０００７】
以下、本発明の実施形態を図面を参照しつつ説明する。図１ないし図２は、本発明のダブルリール付ストラップの１実施形態を示し、図１（Ａ）は全体構成を示す斜視図、図１（Ｂ）は拡大断面図、図２は、図１（Ｂ）のＹ−Ｙ線に沿って矢印方向に見た断面図である。
【０００８】
図１（Ａ）において、本発明のダブルリール付ストラップ１は、ストラップ本体２と、ストラップ本体２に固定された固定軸３と、ストラップ本体２に伸縮自在に装着された第１の保持部材４と、同じくストラップ本体２に伸縮自在に装着された第２の保持部材５とから構成されている。第１の保持部材４と第２の保持部材５は、伸縮自在であるが且つ任意の長さの位置で固定できるストッパ（図示せず）がストラップ本体２内に設けられている。その構造は、周知の長さ測定用のリール付メジャーと同様であるので説明を省略する。
【０００９】
本実施形態においては、第１の保持部材４は紐であり、先端に保持用リング４ａが固定され、この保持用リング４ａに携帯電話機、キーホルダー、定期券入れ、身分証明書入れなどの携帯物品が保持され。また、第２の保持部材５は、帯状のテープであり、第２の保持部材５の先端には係合片５ａが固定され、この係合片５ａがストラップ本体２の側部に形成された係止片２ａに係合可能にされている。なお、前記テープを長さ測定用のメジャーとしてもよい。また、第２の保持部材５を第１の保持部材４と同様に紐で構成してもよい。
【００１０】
図１（Ｂ）、図２において、ストラップ本体２は、本体ケース６と蓋ケース７とからなり、本体ケース６と蓋ケース７の内部には、固定軸３が固定されている。固定軸３の外周には隔壁３ａが一体に形成されており、固定軸３の外周には、隔壁３ａを挟むようにして第１のリール８と第２のリール９が固定軸３に回動自在に装着されている。そして、第１のリール８に第１の保持部材４の後端を固定し第１の保持部材４を巻回し、第２のリール９に第２の保持部材５の後端を固定し第２の保持部材５を巻回し、第１の保持部材４は蓋ケース７の引出口７ａから引き出し可能にされ、第２の保持部材５は本体ケース６の引出口６ａから引き出し可能にされている。さらに、第１のリール８と第２のリール９と固定軸３との間にそれぞれ渦巻き状のバネ１０、１１が配設されている。
【００１１】
以上の構成からなる本実施形態においては、ストラップ本体２を片方の手で把持し、他方の手で第２の保持部材５を引っ張ると、第２の保持部材５をバネ１１に抗して伸縮させることができ、また、第２の保持部材５を所定の長さ分伸ばして係合片５ａを係止片２ａに係合させてループを作ることにより、ループを首や手に掛けたり、カバンに取り付けることにより、ストラップ本体２を携帯することができる。さらに、第２の保持部材５のループ及び第１の保持部材４の保持用リング４ａに携帯電話機、キーホルダー、定期券入れ、身分証明書入れなどの複数の携帯物品を保持することができる。そして、携帯電話等を使用するときは紐を伸ばして任意の長さで使用することができ、携帯するときは紐を収縮させてストラップ本体２内にコンパクトに収納することができ紐が邪魔になることがないという効果を有している。
【００１２】
以上、本発明の実施の形態について説明したが、本発明はこれに限定されるものではなく、種々の変更が可能である。例えば、ストラップ本体２にクランプを取り付け、ストラップ本体２を直接、胸ポケットなどに挟着できるようにしてもよい。
【図面の簡単な説明】
【００１３】
【図１】本発明のダブルリール付ストラップの１実施形態を示し、図１（Ａ）は全体構成を示す斜視図、図１（Ｂ）は拡大断面図である。
【図２】図１（Ｂ）のＹ−Ｙ線に沿って矢印方向に見た断面図である。
【符号の説明】
【００１４】
２…ストラップ本体、３…固定軸、４…第１の保持部材、５…第２の保持部材
８…第１のリール、９…第２のリール、１０、１１…渦巻き状のバネ
【図１】
2006043242.tif 000003
【図２】
2006043242.tif 000004